(57)【要約】【課題】ゴルフクラブの長さ寸法を調整する際にシャフトを回転させる必要がなく、よってバックラインを備えるグリップを使用することができ、しかも１つのパーツで２種類の長さ選択を行なうことができ、よって選択の範囲が広いゴルフクラブを提供する。【解決手段】ヘッドおよびシャフトを共に交換することなくゴルフクラブの長さ寸法を調整可能とするゴルフクラブであって、ヘッドおよびシャフト間に介装される長さ調整用ソケットを有する。ソケットは、ヘッドのホーゼル開口周縁部に係合する係合部の一方に第１筒状部を有するとともに係合部の他方に第１筒状部とは長さ寸法を異にする第２筒状部を有する。そしてこのソケットを、第１筒状部をホーゼル内に挿入するとともに第２筒状部をホーゼル上方へ突出させた態様および上下反対向きに第２筒状部をホーゼル内に挿入するとともに第１筒状部をホーゼル上方へ突出させた態様のいずれかの態様で使用する。【選択図】図２
2014233530.tif 000002
【特許請求の範囲】
【請求項１】
ヘッドおよびシャフトを共に交換することなくゴルフクラブの長さ寸法を調整可能とするゴルフクラブであって、
前記ヘッドおよびシャフト間に介装される長さ調整用ソケットを有し、
前記ソケットは、前記ヘッドのホーゼル開口周縁部に係合する鍔状の係合部の軸方向一方に所定の長さ寸法を備える第１筒状部を有するとともに前記鍔状の係合部の軸方向他方に前記第１筒状部とは長さ寸法を異にする第２筒状部を有し、
前記ソケットを、前記第１筒状部をホーゼル内に挿入するとともに前記第２筒状部をホーゼル上方へ突出させた態様および上下反対向きに前記第２筒状部をホーゼル内に挿入するとともに前記第１筒状部をホーゼル上方へ突出させた態様のいずれかの態様で使用することを特徴とするゴルフクラブ。
【請求項２】
請求項１記載のゴルフクラブにおいて、
前記シャフトの下端部に固定され、前記ソケットの内周側に挿入され、固定ネジをもって前記ヘッドに連結されるスリーブを有し、
前記スリーブは、その外周面に設けた段差状の係合部が前記ソケットの上端部に係合することにより前記ソケットに対する軸方向の位置決めをなすことを特徴とするゴルフクラブ。
【請求項３】
請求項２記載のゴルフクラブにおいて、
前記固定ネジは、前記ヘッドに対しソール面側から差し込まれ、または前記ヘッドに対しホーゼル側から前記スリーブとともに差し込まれることを特徴とするゴルフクラブ。
【請求項４】
請求項２または３記載のゴルフクラブにおいて、
前記ヘッドにおけるホーゼル開口周縁部と前記ソケットにおける前記鍔状の係合部との間、ならびに前記ソケットにおける前記第１筒状部の先端および前記第２筒状部の先端と前記スリーブにおける前記段差状の係合部との間にそれぞれ、凹凸の組み合わせによる廻り止め構造が設けられていることを特徴とするゴルフクラブ。
【発明の詳細な説明】
【技術分野】
【０００１】
本発明は、ヘッドおよびシャフトを共に交換することなくゴルフクラブの長さ寸法を調整可能とするゴルフクラブに関する。
【背景技術】
【０００２】
従来から、ヘッドおよびシャフトを共に交換することなくゴルフクラブの長さ寸法を調整可能とするゴルフクラブとして、以下の特許文献に掲載されたゴルフクラブが知られている。
【先行技術文献】
【特許文献】
【０００３】
【特許文献１】特開２００８−０２９６９１号公報
【特許文献２】特開２０１１−２２９５６２号公報
【特許文献３】特表２０１２−１５２３３１号公報
【０００４】
上記特許文献１には、図１４に示すように、シャフトと、シャフトの先端部を止着するシャフト止着孔５２が形成されたヘッド本体５１とからなるゴルフクラブに於て、シャフトの先端部外周に、シャフト止着孔５２とのシャフト軸線方向の相対位置を調整可能なカラー部材５４を固着し、カラー部材５４を介してシャフトをシャフト止着孔５２に着脱自在に止着したゴルフクラブが掲載され、またその従属項に係る発明として、シャフト止着孔５２は底部を有し、カラー部材５４は、その挿入側端部が前記底部にボルトによりシャフト軸線方向に着脱自在に取り付けられると共に、カラー部材５４の外周に係止突起５５が突設され、シャフト止着孔５２は、その内周に、係止突起５５が挿入可能で、係止突起５５をシャフト軸線方向に受ける階段状の受け部５３ａ，５３ｂ，５３ｃを有する凹部５３が設けられているゴルフクラブが掲載されている。
【０００５】
上記特許文献２には、図１５に示すように、シャフト６１の先端にヘッド６２が取り付けられたゴルフクラブであって、シャフト６１の先端に略円筒形のシャフトケース６４が固着され、ヘッド６２のホゼル穴６３の上端側からホゼル穴６３内にシャフトケース６４が挿入され、シャフト６１は外嵌した環状の螺子部材６５によってシャフトケース６４が固定されるゴルフクラブにおいて、ホゼル穴６３の上端側に下端側が螺着されると共に、螺子部材６５が螺着された延長部材６６と、シャフト６１に外嵌し、シャフトケース６４の上端面と螺子部材６５の下端面との間に介在した１対の半割円筒形のアタッチメント６７とを備えており、螺子部材６５がアタッチメント６７を介してシャフト６１を押えることによりシャフトケース６４がホゼル穴６３に固定されているゴルフクラブであって、延長部材６６及びアタッチメント６７を取り外し、螺子部材６５をホゼル穴６３の上端側に螺着することによってもシャフトケース６４がホゼル穴６３に固定可能であるゴルフクラブが掲載されている。
【０００６】
また、上記特許文献３には、図１６に示すように、シャフト７１の先端にヘッド７２が取り付けられたゴルフクラブにおいて、シャフト７１の先端に略筒形のシャフトケース７４が固着され、ヘッド７２のホゼル７３内にシャフトケース７４が挿入され、ヘッド７２のソール側から差し込まれたボルト７７によってシャフトケース７４がヘッド７２に固定されており、ホゼル７３の上端とシャフトケース７４の上部に設けられたフランジ部７５との間にスペーサ７６を介在させるか又はスペーサ７６を撤去することによりシャフトケース７４がホゼル７３に対し挿入深さ変更可能とされているゴルフクラブが掲載されている。
【０００７】
しかしながら、上記特許文献１ないし３に掲載されたゴルフクラブには、以下の問題が指摘される。
【０００８】
すなわち、上記特許文献１に掲載されたゴルフクラブによると、ゴルフクラブの長さ寸法を調整する際に少なからずシャフトを回転させる必要があるため、バックラインを備えるグリップを使用することができない（シャフトが回転するのに伴ってその上端部に装着されたグリップも回転することによりグリップの円周上一箇所に備えられたバックラインの円周上位置がずれてしまうため、バックラインを備えるグリップを使用することができない）。
【０００９】
また、上記特許文献２ないし３に掲載されたゴルフクラブによると、ゴルフクラブの長さ寸法を調整する際に延長部材６６またはスペーサ７６よりなる１つのパーツで１種類の長さ選択しか行なうことができず、選択の範囲が狭い。
【発明の概要】
【発明が解決しようとする課題】
【００１０】
本発明は以上の点に鑑みて、ゴルフクラブの長さ寸法を調整する際にシャフトを回転させる必要がなく、よってバックラインを備えるグリップを使用することができ、しかも１つのパーツで２種類の長さ選択を行なうことができ、よって選択の範囲が広いゴルフクラブを提供することを目的とする。
【課題を解決するための手段】
【００１１】
上記目的を達成するため、本発明の請求項１によるゴルフクラブは、ヘッドおよびシャフトを共に交換することなくゴルフクラブの長さ寸法を調整可能とするゴルフクラブであって、前記ヘッドおよびシャフト間に介装される長さ調整用ソケットを有し、前記ソケットは、前記ヘッドのホーゼル開口周縁部に係合する鍔状の係合部の軸方向一方に所定の長さ寸法を備える第１筒状部を有するとともに前記鍔状の係合部の軸方向他方に前記第１筒状部とは長さ寸法を異にする第２筒状部を有し、前記ソケットを、前記第１筒状部をホーゼル内に挿入するとともに前記第２筒状部をホーゼル上方へ突出させた態様および上下反対向きに前記第２筒状部をホーゼル内に挿入するとともに前記第１筒状部をホーゼル上方へ突出させた態様のいずれかの態様で使用することを特徴とする。
【００１２】
また、本発明の請求項２によるゴルフクラブは、上記した請求項１記載のゴルフクラブにおいて、前記シャフトの下端部に固定され、前記ソケットの内周側に挿入され、固定ネジをもって前記ヘッドに連結されるスリーブを有し、前記スリーブは、その外周面に設けた段差状の係合部が前記ソケットの上端部に係合することにより前記ソケットに対する軸方向の位置決めをなすことを特徴とする。
【００１３】
また、本発明の請求項３によるゴルフクラブは、上記した請求項２記載のゴルフクラブにおいて、前記固定ネジは、前記ヘッドに対しソール面側から差し込まれ、または前記ヘッドに対しホーゼル側から前記スリーブとともに差し込まれることを特徴とする。
【００１４】
更にまた、本発明の請求項４によるゴルフクラブは、上記した請求項２または３記載のゴルフクラブにおいて、前記ヘッドにおけるホーゼル開口周縁部と前記ソケットにおける前記鍔状の係合部との間、ならびに前記ソケットにおける前記第１筒状部の先端および前記第２筒状部の先端と前記スリーブにおける前記段差状の係合部との間にそれぞれ、凹凸の組み合わせによる廻り止め構造が設けられていることを特徴とする。
【００１５】
上記構成を備える本発明のゴルフクラブにおいては、ヘッドおよびシャフト間に長さ調整用ソケットが介装され、この長さ調整用ソケットは、ヘッドのホーゼル開口周縁部に係合する鍔状の係合部の軸方向一方に所定の長さ寸法を備える第１筒状部を有するとともに鍔状の係合部の軸方向他方に第１筒状部とは長さ寸法を異にする第２筒状部を有する構造とされ、第１筒状部をホーゼル内に挿入するとともに第２筒状部をホーゼル上方へ突出させた態様（第１態様）および上下反対向きに第２筒状部をホーゼル内に挿入するとともに第１筒状部をホーゼル上方へ突出させた態様（第２態様）のいずれかの態様で使用される。したがってソケットの装着の向き（上下方向の向き）を変更することによってゴルフクラブの長さ寸法を調整することが可能とされるため、ゴルフクラブの長さ寸法を調整する際にシャフトを回転させる必要がない。またこの長さ調整用ソケットよりなる１つのパーツで、これを上下いずれの向きで装着するかによって、２種類の長さ選択を行なうことが可能とされる。
【００１６】
ヘッドおよびシャフト間に上記構成の長さ調整用ソケットを介装した状態でヘッドおよびシャフトを連結する構造については様々な構造が考えられるが、例えばヘッド、シャフトおよびソケットにつづき第４の部品としてスリーブを用いるのが好適であり、すなわちスリーブをシャフトの下端部に固定し、ソケットの内周側に挿入し、固定ネジをもってヘッドに連結する。スリーブの外周面には段差状の係合部を設けるのが好適であり、この段差状の係合部をソケットの上端部に係合することによりソケットに対するスリーブの軸方向位置決めをなす。第５の部品とも数えられる固定ネジはヘッドに対しソール面側から差し込むが、ホーゼル側からスリーブとともに差し込むようにしても良い。
【００１７】
シャフトの回転を確実に防止するにはヘッドおよびシャフト間に廻り止め構造を設けるのが好適であり、本発明では上記したようにヘッドおよびシャフト間に長さ調整用ソケットが介装されるとともにシャフトの下端部にスリーブが固定されるので、ヘッドおよびソケット間ならびにソケットおよびスリーブ間にそれぞれ廻り止め構造が設けられる。ヘッドおよびソケット間の廻り止め構造については、ヘッドにおけるホーゼル開口周縁部に対しソケットにおける鍔状の係合部が係合するので、このホーゼル開口周縁部および鍔状の係合部間に凹凸の組み合わせによる廻り止め構造を設ける。ソケットおよびスリーブ間の廻り止め構造については、ソケットにおける上端部に対しスリーブにおける段差状の係合部が係合するので、このソケット上端部および段差状の係合部間に凹凸の組み合わせによる廻り止め構造を設ける。これによりヘッドに対しシャフトが廻り止めされる。
【００１８】
本発明は、ウッドクラブ、アイアンクラブおよびパターのいずれにも適用することが可能である。
【発明の効果】
【００１９】
上記構成を備える本発明においては、ソケットの装着の向き（上下方向の向き）を変更することによってゴルフクラブの長さ寸法を調整することが可能とされるため、ゴルフクラブの長さ寸法を調整する際にシャフトを回転させる必要がない。またこの長さ調整用ソケットよりなる１つのパーツで、これを上下いずれの向きで装着するかによって、２種類の長さ選択をすることが可能とされる。したがって本発明所期の目的どおり、ゴルフクラブの長さ寸法を調整する際にシャフトを回転させる必要がなく、よってバックラインを備えるグリップを使用することができ、しかも１つのパーツで２種類の長さ選択を行なうことができ、よって選択の範囲が広いゴルフクラブを提供することができる。またソケットを介装した状態のヘッドおよびシャフトをスリーブおよび固定ネジを用いて接続する場合には、分解および再調整が可能な構造を提供することができ、廻り止め構造を設ける場合には、シャフトの回転を確実に防止することができる。
【図面の簡単な説明】
【００２０】
【図１】本発明の第１実施例に係るゴルフクラブを分解した状態を示す要部正面図
【図２】同ゴルフクラブを分解した状態を示す要部断面図
【図３】同ゴルフクラブを第１態様で組み立てた状態を示す要部断面図
【図４】同ゴルフクラブを第２態様で組み立てた状態を示す要部断面図
【図５】（Ａ）および（Ｂ）とも同ゴルフクラブが備える廻り止め構造の説明図
【図６】（Ａ）は同ゴルフクラブが備えるソケットの正面図、（Ｂ）はソケットの他の例を示す正面図
【図７】本発明の第２実施例に係るゴルフクラブを分解した状態を示す要部正面図
【図８】同ゴルフクラブを第１態様で組み立てた状態を示す要部断面図
【図９】同ゴルフクラブを第２態様で組み立てた状態を示す要部断面図
【図１０】同ゴルフクラブが備えるホーゼル部の斜視図
【図１１】（Ａ）は同ゴルフクラブが備えるソケットの正面図、（Ｂ）は同ソケットの斜視図
【図１２】（Ａ）は同ゴルフクラブが備えるスリーブの正面図、（Ｂ）は同スリーブの斜視図
【図１３】（Ａ）同はゴルフクラブを第１態様で組み立てた状態を示す要部斜視図、（Ｂ）は同ゴルフクラブを第２態様で組み立てた状態を示す要部斜視図
【図１４】従来例に係るゴルフクラブの要部説明図
【図１５】他の従来例に係るゴルフクラブの要部断面図
【図１６】他の従来例に係るゴルフクラブの要部断面図
【発明を実施するための形態】
【００２１】
本発明には、以下の実施形態が含まれる。
（１）本発明は、クラブ長さ延長部材（長さ調整用ソケット）の加工が簡単で、長さ調整に要する時間が短く、１つのパーツで２通りの長さ選択が可能となるゴルフクラブを提供することを目的とする。
（２）本発明は、クラブ長さ調整に特化した構造である。
ａ．シャフト先端部にシャフトと本体を接続するためのスリーブを接着する。
ｂ．長さ調整ソケット（長さ調整カラー）を介し、ホーゼル部に差し込む。
ｃ．ヘッド底部より固定スクリューをスリーブにねじ込み固定する。
ｄ．長さを調整する時は、固定スクリューを緩めてシャフトを取り外し、長さ調整ソケットを上下逆にして組み込むことにより調整を行なう。
ｅ．最長長さ時をクラブバランスの標準とし、短くしていくごとにバランスウェイトで調整可能とする構造。
ｆ．長さ調整ソケットの長さを複数準備することで、細かい長さ設定が可能。
ｇ．また、各長さ調整ソケットに合わせた固定スクリューも準備することとする。
ｈ．シャフト固定用スクリューをスリーブ内に組み込むことにより、固定スクリューは長さ別に交換しなくても良い。
（３）本発明による作用効果は、以下のとおりとなる。
ｉ．長さ調整ソケットの装着について、上下逆転させることで、クラブ長さが簡単に変更可能。
ｊ．長さ調整ソケットを複数準備することで、細かい長さ調整が可能。
ｋ．ウェイト交換によりクラブバランスも調整可能。
ｌ．クラブ長さ調整ソケットを装着した場合、ヘッドスピードの増加によるボール初速増加につながり、飛距離の増大となる。
ｍ．ボールが上がり易くなる。
【実施例】
【００２２】
つぎに本発明の実施例を図面にしたがって説明する。
【００２３】
第１実施例・・・
図１ないし図６は、本発明の第１実施例に係るゴルフクラブ１を示している。当該実施例に係るゴルフクラブ１は、ヘッド１１およびシャフト（図示せず）を共に交換することなくゴルフクラブ１の長さ寸法（シャフトの中心軸線に沿った長さ寸法）を調整可能とするゴルフクラブであって、ヘッド１１およびシャフト間に介装される長さ調整用ソケット２１を有し、また、この長さ調整用ソケット２１を介装した状態でヘッド１１およびシャフトを連結するためのスリーブ３１および固定ネジ４１を有している。各部品の詳細は、以下のとおりとされている。
【００２４】
すなわち図２に示すように先ず、ヘッド１１の構成として、ヘッド本体１２と一体のホーゼル部（ホーゼル）１３が設けられ、ホーゼル部１３にシャフトを上方から差し込むためのシャフト差し込み穴１４が設けられ、シャフト差し込み穴１４に穴底部１５が設けられ、穴底部１５に固定ネジ４１を下方から差し込むためのネジ差し込み穴１６が設けられ、穴底部１５およびネジ差し込み穴１６の下方に固定ネジ４１を廻す治具を下方から差し込むための治具差し込み穴１７がヘッド底面（ソール面）１８まで貫通するように設けられている。
【００２５】
長さ調整用ソケット２１は、その全体として円筒状に成形され、その外周面にヘッド１１のホーゼル開口周縁部１３ａに対し軸方向（シャフトの中心軸線方向）に係合する鍔状の係合部２２が設けられ、この鍔状の係合部２２がホーゼル開口周縁部１３ａに係合することによってヘッド１１およびソケット２１が軸方向に位置決めされる。鍔状の係合部２２の下方（軸方向一方）は所定の長さ寸法Ｌ１を備える第１筒状部２３とされ、鍔状の係合部２２の上方（軸方向他方）は第１筒状部２３とは長さ寸法を異にし第１筒状部２３より小さな長さ寸法Ｌ２を備える第２筒状部２４とされている。第１筒状部２３の外周面は、この第１筒状部２３をシャフト差し込み穴１４に差し込みやすいように先細のテーパー面状とされている。
【００２６】
スリーブ３１は、これも全体として円筒状に成形されている。スリーブ３１の内周には上方からシャフトが差し込まれ、接着剤等によって固定される。スリーブ３１の下端部内周面にシャフトの下端部が軸方向に係合する段差状の係合部３２が設けられ、この段差状の係合部３２にシャフトの下端部が係合することによってシャフトおよびスリーブ３１が軸方向に位置決めされる。スリーブ３１の下端部に固定ネジ４１が下方からねじ込まれる雌ネジ穴３３が設けられ、この雌ネジ穴３３に固定ネジ４１がねじ込まれることによってヘッド１１およびスリーブ３１が連結される。スリーブ３１の上端部外周面にソケット２１の上端部に対し軸方向に係合する段差状の係合部３４が設けられ、この段差状の係合部３４がソケット２１の上端部に係合することによってソケット２１およびスリーブ３１が軸方向に位置決めされる。
【００２７】
固定ネジ４１は、シャフト差し込み穴１４の穴底部１５に対し下方から係合するネジ頭部４２を備え、またネジ差し込み穴１６に差し込まれるとともにスリーブ３１の雌ネジ穴３３にねじ込まれる雄ネジ部４３を備えている。
【００２８】
上記ソケット２１は、図３に示すように、第１筒状部２３をホーゼル１３内に挿入するとともに第２筒状部２４をホーゼル１３上方へ突出させた態様（第１態様）で使用され、または図４に示すように上下反対向きに装着されることにより第２筒状部２４をホーゼル１３内に挿入するとともに第１筒状部２３をホーゼル１３上方へ突出させた態様（第２態様）で使用される。したがって第１態様および第２態様のいずれを選択するかによってゴルフクラブ１の長さ寸法を調整することが可能とされている。
【００２９】
つぎに当該実施例に係るゴルフクラブ１は、各部品間の廻り止め構造を備えているので、この廻り止め構造について説明する。
【００３０】
すなわち、ヘッド１１およびソケット２１間の廻り止め構造については、上記したようにヘッド１１におけるホーゼル開口周縁部１３ａに対しソケット２１における鍔状の係合部２２が軸方向に係合するので、このホーゼル開口周縁部１３ａおよび鍔状の係合部２２間に凹凸の組み合わせによる廻り止め構造が設けられており、図５（Ｂ）に示す例では、ホーゼル開口周縁部１３ａに凹部１９が設けられるとともに鍔状の係合部２２に対応して凸部２５が設けられ、この凹部１９および凸部２５が円周方向に係合することによってヘッド１１およびソケット２１間の廻り止め構造とされている。尚、ソケット２１は上記したように上下反対向きに装着されることがあるので、鍔状の係合部２２の上下両面にそれぞれ凸部２５が設けられている。
【００３１】
また、ソケット２１およびスリーブ３１間の廻り止め構造については、ソケット２１における上端部（図４に示す第２態様の場合は、第１筒状部２３の先端部）に対しスリーブ３１における段差状の係合部３４が軸方向に係合するので、このソケット２１上端部および段差状の係合部３４間に凹凸の組み合わせによる廻り止め構造が設けられており、図５（Ａ）に示す例では、ソケット２１上端部に凹部２６が設けられるとともに段差状の係合部３４に対応して凸部３５が設けられ、この凹部２６および凸部３５が円周方向に係合することによってソケット２１およびスリーブ３１間の廻り止め構造とされている。尚、ソケット２１は上記したように上下反対向きに装着されることがあるので、第１筒状部２３の先端部および第２筒状部２４の先端部にそれぞれ凹部２６が設けられている。
【００３２】
上記構成を備えるゴルフクラブ１においては、ヘッド１１およびシャフト間に長さ調整用ソケット２１が介装され、このソケット２１の装着の向き（上下方向の向き）を変更することによってゴルフクラブ１の長さ寸法を調整することが可能とされるため、ゴルフクラブ１の長さ寸法を調整する際にシャフトを回転させる必要がない。またこの長さ調整用ソケット２１よりなる１つのパーツで、これを上下いずれの向きで装着するかによって、２種類の長さ選択を行なうことが可能とされている。したがってゴルフクラブ１の長さ寸法を調整する際にシャフトを回転させる必要がなく、よってバックラインを備えるグリップ（図示せず）を使用することができ、しかも１つのパーツで２種類の長さ選択を行なうことができ、よって選択の範囲が広いゴルフクラブ１を提供することができる。またソケット２１を介装した状態のヘッド１１およびシャフトをスリーブ３１および固定ネジ４１を用いて接続するため、分解および再調整が可能な連結構造を提供することができ、各部品の廻り止め構造を備えているため、ヘッド１１に対しシャフトが回転するを確実に防止することができる。
【００３３】
尚、長さ調整用ソケット２１については図６に示すように、第１筒状部２３の長さ寸法Ｌ１および／または第２筒状部２４の長さ寸法Ｌ２を変更することにより、選択するゴルフクラブ１の長さ寸法を変更することができ、鍔状の係合部２２の高さ寸法Ｌ３を変更することによっても、選択するゴルフクラブ１の長さ寸法を変更することができる。また、互いに寸法を異にするソケット２１を複数用意することにより、その倍数分の種類の長さ選択を行なうこともできる。
【００３４】
また、第１態様を示す図３および第２態様を示す図４の比較から判るように、固定ネジ４１については、雄ネジ部４３の長さ寸法を異にする複数の固定ネジ４１を態様毎に使い分けすることがある。
【００３５】
また、この固定ネジ４１について、上記第１実施例では、固定ネジ４１をヘッド１１に対しヘッド底面（ソール面）１８側から差し込むことにしたが、これに代えて固定ネジ４１をホーゼル１３側からスリーブ３１とともに差し込むようにしても良い。以下にこの態様の実施例を説明する。
【００３６】
第２実施例・・・
図７ないし図１３は、本発明の第２実施例に係るゴルフクラブ１を示している。当該実施例に係るゴルフクラブ１は、ヘッド１１およびシャフト（図示せず）を共に交換することなくゴルフクラブ１の長さ寸法（シャフトの中心軸線に沿った長さ寸法）を調整可能とするゴルフクラブであって、ヘッド１１およびシャフト間に介装される長さ調整用ソケット２１を有し、また、この長さ調整用ソケット２１を介装した状態でヘッド１１およびシャフトを連結するためのスリーブ３１および固定ネジ４１を有している。各部品の詳細は、以下のとおりとされている。
【００３７】
すなわち図８または図９に示すように先ず、ヘッド１１の構成として、ヘッド本体１２と一体のホーゼル部（ホーゼル）１３が設けられ、ホーゼル部１３にシャフトを上方から差し込むためのシャフト差し込み穴１４が設けられ、シャフト差し込み穴１４に穴底部１５が設けられ、穴底部１５に固定ネジ４１を上方からねじ込むための雌ネジ穴２０が設けられ、穴底部１５および雌ネジ穴２０の下方に固定ネジ４１を廻す治具を下方から差し込むための治具差し込み穴１７がヘッド底面（ソール面）１８まで貫通するように設けられている。
【００３８】
長さ調整用ソケット２１は、全体として円筒状に成形され、その外周面にヘッド１１のホーゼル開口周縁部１３ａに対し軸方向（シャフトの中心軸線方向）に係合する鍔状の係合部２２が設けられ、この鍔状の係合部２２がホーゼル開口周縁部１３ａに係合することによってヘッド１１およびソケット２１が軸方向に位置決めされる。鍔状の係合部２２の下方（軸方向一方）は所定の長さ寸法Ｌ１を備える第１筒状部２３とされ、鍔状の係合部２２の上方（軸方向他方）は第１筒状部２３とは長さ寸法を異にし第１筒状部２３より小さな長さ寸法Ｌ２を備える第２筒状部２４とされている。
【００３９】
スリーブ３１は、これも全体として円筒状に成形されている。スリーブ３１の内周には上方からシャフトが差し込まれ、接着剤等によって固定される。スリーブ３１の下端部内周面にシャフトの下端部が軸方向に係合するテーパー面状の係合部３６が設けられ、このテーパー面状の係合部３６にシャフトの下端部が係合することによってシャフトおよびスリーブ３１が軸方向に位置決めされる。また、このテーパー面状の係合部３６の下方に位置して、固定ネジ４１のネジ頭部４２を相対回転可能に収容するネジ頭収容部３７が設けられ、このネジ頭収容部３７の下方に位置して、固定ネジ４１のネジ頭部４２が下方へ抜け出ることがないよう内向き鍔状の係合部３８が設けられ、この内向き鍔状の係合部３８の内周側に位置して、固定ネジ４１の雄ネジ部４３を差し込むためのネジ差し込み穴３９が設けられている。したがって固定ネジ４１はスリーブ３１とともにホーゼル１３側から差し込まれる構造となっており、差し込み後、雄ネジ部４３を雌ネジ穴２０にねじ込むことによってヘッド１１およびスリーブ３１が連結される。また、スリーブ３１の上端部外周面にはソケット２１の上端部に対し軸方向に係合する段差状の係合部３４が設けられ、この段差状の係合部３４がソケット２１の上端部に係合することによってソケット２１およびスリーブ３１が軸方向に位置決めされる。
【００４０】
固定ネジ４１は、上記したようにスリーブ３１のネジ頭収容部３７に回転可能に収容されるとともに内向き鍔状の係合部３８によって抜け止めされたネジ頭部４２を備え、またネジ差し込み穴３９に差し込まれるとともにヘッド１１の雌ネジ穴２０にねじ込まれる雄ネジ部４３を備えている。
【００４１】
上記ソケット２１は、図８に示すように、第１筒状部２３をホーゼル１３内に挿入するとともに第２筒状部２４をホーゼル１３上方へ突出させた態様（第１態様）で使用され、または図９に示すように上下反対向きに装着されることにより第２筒状部２４をホーゼル１３内に挿入するとともに第１筒状部２３をホーゼル１３上方へ突出させた態様（第２態様）で使用される。したがって第１態様および第２態様のいずれを選択するかによってゴルフクラブ１の長さ寸法を調整することが可能とされている。
【００４２】
つぎに当該実施例に係るゴルフクラブ１は、各部品間の廻り止め構造を備えているので、この廻り止め構造について説明する。
【００４３】
すなわち、ヘッド１１およびソケット２１間の廻り止め構造については、上記したようにヘッド１１におけるホーゼル開口周縁部１３ａに対しソケット２１における鍔状の係合部２２が軸方向に係合するので、このホーゼル開口周縁部１３ａおよび鍔状の係合部２２間に凹凸の組み合わせによる廻り止め構造が設けられており、具体的には図１０に示すようにホーゼル開口周縁部１３ａに凹部１９が円周上複数（図では４箇所）設けられるとともに、図１１に示すように鍔状の係合部２２に対応して凸部２５が円周上複数（図では４箇所）設けられ、この凹部１９および凸部２５が円周方向に係合することによってヘッド１１およびソケット２１間の廻り止め構造とされている。尚、ソケット２１は上記したように上下反対向きに装着されることがあるので、鍔状の係合部２２の上下両面にそれぞれ凸部２５が設けられている。
【００４４】
また、ソケット２１およびスリーブ３１間の廻り止め構造については、ソケット２１における上端部（図９に示す第２態様の場合は、第１筒状部２３の先端部）に対しスリーブ３１における段差状の係合部３４が軸方向に係合するので、このソケット２１上端部および段差状の係合部３４間に凹凸の組み合わせによる廻り止め構造が設けられており、具体的には図１１に示すようにソケット２１上端部（図では左端部）に凹部２６が円周上複数（図では４箇所）設けられるとともに、図１２に示すように段差状の係合部３４に対応して凸部３５が円周上複数（図では４箇所）設けられ、この凹部２６および凸部３５が円周方向に係合することによってソケット２１およびスリーブ３１間の廻り止め構造とされている。尚、ソケット２１は上記したように上下反対向きに装着されることがあるので、第１筒状部２３の先端部および第２筒状部２４の先端部にそれぞれ凹部２６が設けられている。
【００４５】
上記構成を備えるゴルフクラブ１においては、ヘッド１１およびシャフト間に長さ調整用ソケット２１が介装され、このソケット２１の装着の向き（上下方向の向き）を変更することによってゴルフクラブ１の長さ寸法を調整することが可能とされるため、ゴルフクラブ１の長さ寸法を調整する際にシャフトを回転させる必要がない。またこの長さ調整用ソケット２１よりなる１つのパーツで、これを上下いずれの向きで装着するかによって、２種類の長さ選択を行なうことが可能とされている。したがってゴルフクラブ１の長さ寸法を調整する際にシャフトを回転させる必要がなく、よってバックラインを備えるグリップ（図示せず）を使用することができ、しかも１つのパーツで２種類の長さ選択を行なうことができ、よって選択の範囲が広いゴルフクラブ１を提供することができる。また、ソケット２１を介装した状態のヘッド１１およびシャフトをスリーブ３１および固定ネジ４１を用いて接続するため、分解および再調整が可能な連結構造を提供することができ、各部品の廻り止め構造を備えているため、ヘッド１１に対しシャフトが回転するを確実に防止することができる。
【００４６】
尚、長さ調整用ソケット２１については、第１筒状部２３の長さ寸法および／または第２筒状部２４の長さ寸法を変更することにより、選択するゴルフクラブ１の長さ寸法を変更することができ、鍔状の係合部２２の高さ寸法を変更することによっても、選択するゴルフクラブ１の長さ寸法を変更することができる。また、互いに寸法を異にするソケット２１を複数用意することにより、その倍数分の種類の長さ選択を行なうこともできる。
【符号の説明】
【００４７】
１  ゴルフクラブ
１１  ヘッド
１２  ヘッド本体
１３  ホーゼル部
１３ａ  ホーゼル開口周縁部
１４  シャフト差し込み穴
１５  穴底部
１６，３９  ネジ差し込み穴
１７  治具差し込み穴
１８  ヘッド底面
１９，２６  凹部
２０，３３  雌ネジ穴
２１  長さ調整用ソケット
２２，３２，３４，３６，３８  係合部
２３  第１筒状部
２４  第２筒状部
２５，３５  凸部
３１  スリーブ
３７  ネジ頭収容部
４１  固定ネジ
４２  ネジ頭部
４３  雄ネジ部
【図１】
2014233530.tif 000003
【図２】
2014233530.tif 000004
【図３】
2014233530.tif 000005
【図４】
2014233530.tif 000006
【図５】
2014233530.tif 000007
【図６】
2014233530.tif 000008
【図７】
2014233530.tif 000009
【図８】
2014233530.tif 000010
【図９】
2014233530.tif 000011
【図１０】
2014233530.tif 000012
【図１１】
2014233530.tif 000013
【図１２】
2014233530.tif 000014
【図１３】
2014233530.tif 000015
【図１４】
2014233530.tif 000016
【図１５】
2014233530.tif 000017
【図１６】
2014233530.tif 000018